(57)【要約】【課題】スタッキング性の良好な原稿排出トレイを提供すること。【解決手段】原稿を搬送して排出する原稿搬送部と、排出される原稿を受け入れる原稿排出トレイとを備え、原稿排出トレイは、原稿排出トレイの表面に原稿排出方向に沿って延びる少なくとも２つのリブと、原稿排出トレイに原稿排出方向に引出し可能に設けられた補助トレイと、補助トレイの引出し動作に連動してリブの間隔を拡大させるリブ移動機構を備える自動原稿送り装置。【選択図】図８
2010089894.tif 000002
【特許請求の範囲】
【請求項１】
原稿を搬送して排出する原稿搬送部と、排出される原稿を受け入れる原稿排出トレイとを備え、原稿排出トレイは、原稿排出トレイの表面に原稿排出方向に沿って延びる少なくとも２つのリブと、原稿排出トレイに原稿排出方向に引出し可能に設けられた補助トレイと、補助トレイの引出し動作に連動してリブの間隔を拡大させるリブ移動機構を備える自動原稿送り装置。
【請求項２】
前記リブは２つのリブからなり、前記移動機構は２つのリブを原稿排出方向と直交する方向に移動させる請求項1記載の自動原稿送り装置。
【請求項３】
前記リブは２つのリブからなり、前記移動機構は２つのリブを原稿排出方向に対して末広がりになるように移動させる請求項１記載の自動原稿送り装置。
【請求項４】
前記移動機構は補助トレイの引出量に比例してリブの間隔を拡大させる請求項１〜３のいずれか１つに記載の自動原稿送り装置。
【請求項５】
請求項１〜４のいずれか１つに記載の自動原稿送り装置を備えた画像形成装置。
【発明の詳細な説明】
【技術分野】
【０００１】
本発明は、複写機、複合機、ファクシミリ装置などの画像形成装置における自動原稿送り装置に関する。
【背景技術】
【０００２】
自動原稿送り装置に設けられる原稿排紙トレイは、排出される複数の原稿を適正にスタックする（積重ねる）必要がある。そこで、スタッキング（積重ね）性を向上させ、かつ、原稿を取りやすくするため、原稿排出トレイ上にリブを設けたものが知られている（例えば、特許文献１参照）。
この文献には、補助トレイの引き出し動作に連動して、腰付けリブの突出高さが高くなる排紙トレイ装置が開示されている。
【特許文献１】特開２０００−３１３５６１号公報
【発明の開示】
【発明が解決しようとする課題】
【０００３】
しかしながら、原稿には多種サイズがあり、排出された原稿に対してリブの突出量を変化させるだけでは、原稿のスタッキング性を改善できないという課題がある。特に、排出された大サイズの原稿が、凹方向、凸方向にカールして排出されると、用紙が、左か右にずれ、原稿トレイ上でのスタッキング性が悪くなる。この発明はこのような事情を考慮してなされたもので、原稿サイズの変化に対応して良好なスタッキング性を得ることが可能な自動原稿送り装置を提供するものである。
【課題を解決するための手段】
【０００４】
この発明は、原稿を搬送して排出する原稿搬送部と、排出される原稿を受け入れる原稿排出トレイとを備え、原稿排出トレイは、原稿排出トレイの表面に原稿排出方向に沿って延びる少なくとも２つのリブと、原稿排出トレイに原稿排出方向に引出し可能に設けられた補助トレイと、補助トレイの引出し動作に連動してリブの間隔を拡大させるリブ移動機構を備える自動原稿送り装置を提供するものである。
【発明の効果】
【０００５】
補助トレイの引き出し動作に連動してリブの間隔が拡大する。つまり、原稿サイズに対応してリブ間隔が設定されるので、良好なスタッキング性が得られる。
【発明を実施するための最良の形態】
【０００６】
この発明の自動原稿送り装置は、原稿を搬送して排出する原稿搬送部と、排出される原稿を受け入れる原稿排出トレイとを備え、原稿排出トレイは、原稿排出トレイの表面に原稿排出方向に沿って延びる少なくとも２つのリブと、原稿排出トレイに原稿排出方向に引出し可能に設けられた補助トレイと、補助トレイの引出し動作に連動してリブの間隔を拡大させるリブ移動機構を備えることを特徴とする。
リブが２つのリブからなり、移動機構は、２つのリブを原稿排出方向と直交する方向に移動させてもよい。
リブが２つのリブからなり、移動機構は２つのリブを原稿排出方向に対して末広がりになるように移動させてもよい。
移動機構は補助トレイの引出量に比例して、リブの間隔を拡大させてもよい。
この発明は、別の観点から、上記原稿送り装置を備えた画像形成装置を提供するものである。
【０００７】
以下、図面に示す実施の形態に基づいてこの発明を詳述する。
図１は、この発明の自動原稿送り装置が使用される画像形成装置の構成説明図である。画像形成装置１００は、外部から伝達された画像データに応じて、所定のシート（記録用紙）に対して多色及び単色の画像を形成するもので、装置本体２００と、自動原稿処理装置３００とにより構成されている。自動原稿処理装置３００は、自動原稿送り装置３１０と原稿走査ユニット３２０とから構成されている。装置本体２００は、露光ユニット１、現像器２、感光体ドラム３、クリーナユニット４、帯電器５、中間転写ベルトユニット６、定着ユニット７、給紙カセット８１、排紙トレイ９１等を有して構成されている。
【０００８】
装置本体２００の上部に設けられた本発明に関わる自動原稿処理装置３００には、原稿が載置される透明ガラスからなる原稿載置台１２０が設けられ、原稿載置台１２０の上側には自動原稿送り装置３１０が取り付けられている。自動原稿送り装置３１０は、原稿載置台１２０の上に自動で原稿を搬送する。また、自動原稿送り装置３１０を開いて、原稿載置台１２０の上を開放することにより原稿を手動で置くこともできるようになっている。
【０００９】
画像形成装置１００において扱われる画像データは、ブラック（Ｋ）、シアン（Ｃ）、マゼンタ（Ｍ）、イエロー（Ｙ）の各色を用いたカラー画像に応じたものである。従って、現像器２、感光体ドラム３、帯電器５、クリーナユニット４は、各色に応じた４種類の潜像を形成するようにそれぞれ４個ずつ設けられ、それぞれブラック、シアン、マゼンタ、イエローに設定され、これらによって４つの画像ステーションが構成されている。
【００１０】
帯電器５は、感光体ドラム３の表面を所定の電位に均一に帯電させるための帯電手段であり、図１に示すようなチャージャ型の他、接触型のローラ型やブラシ型の帯電器が用いられることもある。
【００１１】
露光ユニット１は、レーザ出射部及び反射ミラー等を備えたレーザスキャニングユニット（ＬＳＵ）として構成される。露光ユニット１は、レーザビームを走査するポリゴンミラーと、ポリゴンミラーによって反射されたレーザ光を感光体ドラム３に導くためのレンズやミラー等の光学要素が配置されている。また、露光ユニット１としては、この他、発光素子をアレイ状に並べた例えばＥＬやＬＥＤ書込みヘッドを用いることもできる。
【００１２】
露光ユニット１は、帯電された感光体ドラム３を入力された画像データに応じて露光することにより、その表面に、画像データに応じた静電潜像を形成する機能を有する。なお、入力された画像データとは、後述するように自動原稿処理装置３００において、原稿から取得され装置本体２００へ入力されたデータである。
【００１３】
現像器２はそれぞれの感光体ドラム３上に形成された静電潜像を４色（以下、ＹＭＣＫという）のトナーにより顕像化するものである。またクリーナユニット４は、現像・画像転写後における感光体ドラム３上の表面に残留したトナーを、除去・回収する。
【００１４】
感光体ドラム３の上方に配置されている中間転写ベルトユニット６は、中間転写ベルト６１、中間転写ベルト駆動ローラ６２、中間転写ベルト従動ローラ６３、中間転写ローラ６４、及び中間転写ベルトクリーニングユニット６５を備えている。上記中間転写ローラ６４は、ＹＭＣＫ用の各色に対応して４本設けられている。
【００１５】
中間転写ベルト駆動ローラ６２、中間転写ベルト従動ローラ６３、及び中間転写ローラ６４は、中間転写ベルト６１を張架して回転駆動させる。また各中間転写ローラ６４は、感光体ドラム３のトナー像を、中間転写ベルト６１上に転写するための転写バイアスを与える。
【００１６】
中間転写ベルト６１は、各感光体ドラム３に接触するように設けられている、そして、感光体ドラム３に形成された各色のトナー像を中間転写ベルト６１に順次的に重ねて転写することによって、中間転写ベルト６１上にカラーのトナー像（多色トナー像）を形成する機能を有している。中間転写ベルト６１は、例えば厚さ１００μｍ〜１５０μｍ程度のフィルムを用いて無端状に形成されている。
【００１７】
感光体ドラム３から中間転写ベルト６１へのトナー像の転写は、中間転写ベルト６１の裏側に接触している中間転写ローラ６４によって行われる。中間転写ローラ６４には、トナー像を転写するために高電圧の転写バイアス（トナーの帯電極性（−）とは逆極性（＋）の高電圧）が印加されている。
【００１８】
中間転写ローラ６４は、直径８〜１０ｍｍの金属（例えばステンレス）軸をベースとし、その表面が導電性の弾性材（例えばＥＰＤＭ，発泡ウレタン等）により覆われているローラである。この導電性の弾性材により、中間転写ベルト６１に対して均一に高電圧を印加することができる。本実施形態では転写電極としてローラ形状を使用しているが、それ以外にブラシなども用いることが可能である。
【００１９】
上述のように各感光体ドラム３上で各色相に応じて顕像化された静電像は中間転写ベルト６１で積層される。このように、積層された画像情報は中間転写ベルト６１の回転によって、後述の用紙と中間転写ベルト６１の接触位置に配置される転写ローラ１０によって用紙上に転写される。
【００２０】
このとき、中間転写ベルト６１と転写ローラ１０は所定ニップで圧接されると共に、転写ローラ１０にはトナーを用紙に転写させるための電圧が印加される（トナーの帯電極性（−）とは逆極性（＋）の高電圧）。さらに、転写ローラ１０は上記ニップを定常的に得るために、転写ローラ１０もしくは前記中間転写ベルト駆動ローラ６２の何れか一方を硬質材料（金属等）とし、他方を弾性ローラ等の軟質材料（弾性ゴムローラ、または発泡性樹脂ローラ等々）が用いられる。
【００２１】
また、上記のように、感光体ドラム３に接触することにより中間転写ベルト６１に付着したトナー、もしくは転写ローラ１０によって用紙上に転写が行われず中間転写ベルト６１上に残存したトナーは、次工程でトナーの混色を発生させる原因となるために、中間転写ベルトクリーニングユニット６５によって除去・回収されるように設定されている。中間転写ベルトクリーニングユニット６５には、中間転写ベルト６１に接触する例えばクリーニング部材としてクリーニングブレードが備えられており、クリーニングブレードが接触する中間転写ベルト６１は、裏側から中間転写ベルト従動ローラ６３で支持されている。
【００２２】
給紙カセット８１は、画像形成に使用するシート（記録用紙）を蓄積しておくためのトレイであり、装置本体２００の露光ユニット１の下側に設けられている。また手差し給紙トレイ８２にも画像形成に使用するシートを置くことができる。また、装置本体２００の上方に設けられている排紙トレイ９１は、印刷済みのシートをフェイスダウンで集積するためのトレイである。
【００２３】
また装置本体２００には、給紙カセット８１及び手差し給紙トレイ８２のシートを転写ローラ１０や定着ユニット７を経由させて排紙トレイ９１に送るための、略垂直形状の用紙搬送路Ｓが設けられている。給紙カセット８１ないし手差し給紙トレイ８２から排紙トレイ９１までの用紙搬送路Ｓの近傍には、ピックアップローラ１１ａ，１１ｂ、複数の搬送ローラ１２ａ〜１２ｄ，レジストローラ１３、転写ローラ１０、定着ユニット７等が配されている。
【００２４】
搬送ローラ１２ａ〜１２ｄは、シートの搬送を促進・補助するための小型のローラであり、用紙搬送路Ｓに沿って複数設けられている。またピックアップローラ１１ａは、給紙カセット８１の端部近傍に備えられ、給紙カセット８１からシートを１枚ずつピックアップして用紙搬送路Ｓに供給する。同様にまたピックアップローラ１１ｂは、手差し給紙トレイ８２の端部近傍に備えられ、手差し給紙トレイ８２からシートを１枚ずつピックアップして用紙搬送路Ｓに供給する。
【００２５】
図２は自動原稿処理装置３００の構成説明図である。同図に示すように、自動原稿処理装置３００は、自動稿送り装置３１０と原稿走査ユニット３２０とを備える。
自動原稿送り装置３１０は、原稿Ｒを重ねて載置する原稿トレイ１０１と、原稿を搬送する搬送路１０４ａ，１０４ｂ，１０４ｃと、搬送路１０４ｂから排出される原稿を受け入れる排紙トレイ１１７を備える。
また、原稿走査ユニット３２０は、光源１０９および第１ミラー１１０を搭載したランプユニット１３０と、第２ミラー１１４および第３ミラー１１３を搭載したミラーユニット１４０と、レンズ１１１と、ＣＣＤ１１２を備える。
【００２６】
このような自動原稿処理装置３００において、原稿トレイ１０１に１枚以上の片面原稿が表面（画像面）を上にして載置されると、原稿が原稿載置検知センサ１１６によって検知される。そして、ピックアップローラ１１５によって原稿が一枚ずつ搬送路１０４ａへ連続的に搬入され、原稿読み取りガラス１０７を通って搬送路１０４ｂの方へ搬送される。
【００２７】
搬送中の原稿は原稿読み取りガラス１０７を介して光源１０９によって照明され、原稿からの反射光は第１ミラー１１０、第２ミラー１１４、第３ミラー１１３、レンズ１１１を介してＣＣＤ１１２に受光され、表面の画像データが読み取られる。読み取られた原稿は排出ローラ１２６により搬送路１０４ｂから原稿排出トレイ１１７へ順次排出される。排出された原稿は、リブ２５ａ，２５ｂ（図４）と補助トレイ２４により原稿排出トレイ１１７上に順番にスタックされる。
【００２８】
また、原稿が両面原稿であって、両面の画像を読み取る時には、上記のように表面の画像データが読み取られた原稿は、原稿排出トレイ１１７に排出される直前に排出ローラ１２６の逆転により反動用の搬送路１０４ｃに逆送される。そして、原稿は表裏が反転した状態で搬送路１０４ａ，１０４ｂを介して原稿排出トレイ１１７に排出される。この時、反転された原稿、つまり裏面の画像データが前述と同様に原稿読み取りガラス１０７を介してＣＣＤ１１２によって読み取られる。
【００２９】
また、自動原稿送り装置３１０を使用しない場合には、手動で原稿が表面（画像面）を下にして原稿載置台１２０に載置される。そして、ランプユニット１３０とミラーユニット１４０とが移動することによって原稿が走査され、原稿の画像データがＣＣＤ１１２に読み取られる。
【００３０】
このようにして読み取られた画像データは、前述のように装置本体２００に入力され、その画像データに基づいて、給紙カセット８１又は、手差し給紙トレイ８２から供給されるシートに画像が形成される。
【００３１】
図３は原稿排出トレイ１１７の原稿排出側から見た正面図、図４はその上面図、図５、図６、図７はそれぞれ図４のＡ−Ａ，Ｂ−Ｂ，Ｃ−Ｃ矢視断面図、図８は図３のＤ−Ｄ矢視断面図である。
これらの図において、筐体２１の内部には補助トレイ２４が収容され、筐体２１の正面開口２２を介して補助トレイ２４を引き出すための把手２３が補助トレイ２４の先端から突出している。また、筐体２１の上面の短形開口２６ａ，２６ｂからはリブ２５ａ，２５ｂが突出している。さらに、筐体２１の内部には、補助トレイ２４を両側から挟む係止ボス３６ａ，３６ｂを備えた一対のリブ移動ガイド２７ａ，２７ｂが収容されている。
【００３２】
リブ移動ガイド２７ａ，２７ｂにはそれぞれリブ２５ａ，２５ｂが立設している。リブ移動ガイド２７ａには一対の長穴２８ａ，２８ｂが、リブ移動ガイド２７ｂには一対の長穴２８Ａ，２８Ｂが、それぞれ形成されている。長穴２８ａ，２８ｂには筐体２１の内部底面から上方に突出するガイドボス２９ａ，２９ｂがそれぞれ挿入されている。長穴２８Ａ，２８Ｂには筐体２１の内部底面から情報に突出するガイドボス２９Ａ，２９Ｂがそれぞれ挿入されている。これによって、リブ移動ガイド２７ａ，２７ｂは筐体２１内でそれぞれ矢印Ｘ１，Ｘ２方向に摺動することができる。
【００３３】
リブ移動ガイド２７ａ，２７ｂは、両端部に設けられた引張スプリング３０，３１により、矢印Ｘ２，Ｘ１方向にそれぞれ付勢されている。補助トレイ２４は筐体２１の内部底面に一体的に形成された摺動台３２上に搭載され、摺動台３２に立設するガイドボス３３，３４が補助トレイ２４の中央に形成された長穴３５に挿入されている。これによって、補助トレイ２４は、摺動台３２上を矢印Ｙ１，Ｙ２方向に摺動可能である。そして、リブ移動ガイド２７ａ，２７ｂに備えられた係止ボス３６ａ，３６ｂは、補助トレイ２４の両側面に接触している。つまり、補助トレイ２４は、引張スプリングの引張力により係止ボス３６ａ，３６ｂの間に挟持されている。
【００３４】
また、補助トレイ２４の両側傾斜面には、対称的に２対の円弧状凹部３７ａ，３７ｂおよび３８ａ，３８ｂが形成され、補助トレイ２４が筐体２１から矢印Ｙ１方向に引き出されたときに、係止ボス３６ａ，３６ｂがそれぞれに係止するようになっている。
【００３５】
このような構成の原稿排出トレイ１１７の動作について説明する。
まず、原稿がＡ４サイズで長手方向に排出される場合には、補助トレイ２４は引き出されることなく、図４に示す状態で使用される。この時、リブ２５ａ，２５ｂの間隔Ｌ（図３）は１００ｍｍである。
【００３６】
次に、原稿がＢ４サイズで長手方向に排出される場合には、補助トレイ２４は原稿の長さに合わせて、円弧状凹部３７ａ，３７ｂが係止ボス３６ａ，３６ｂにそれぞれ係止する中間位置まで引き出されて使用される。この時、リブ２５ａ，２５ｂの間隔Ｌ（図３）は補助トレイ２４の引出し長さに比例して１４０ｍｍに拡大される。
【００３７】
次に、原稿がＡ３サイズで長手方向に排出される場合には、補助トレイ２４は原稿の長さに合わせて、円弧状凹部３８ａ，３８ｂが係止ボス３６ａ，３６ｂにそれぞれ係止する最長位置（図９）まで引き出されて使用される。この時、リブ２５ａ，２５ｂの間隔Ｌ（図３）は補助トレイ２４の引出し長さに比例して１６０ｍｍに拡大される。
【００３８】
なお、使用者は、補助トレイ２４を引出す際には、係止ボス３６ａ，３６ｂが円弧状凹部３７ａ，３７ｂ又は３８ａ，３８ｂに係止したかどうかをクリック感で知覚し、Ｂ４サイズ又はＡ３サイズに対応する補助トレイ２４の引出量が確認できるようになっている。
また、補助トレイ２４には、原稿サイズ「Ｂ４」と「Ａ３」が表示され（図８参照）、補助トレイ２４を引出し量と原稿サイズとの関係が目視でも確認できるようになっている。
【００３９】
図１０は、図４に示す実施形態の変形例を示す対応図である。この変形例では、リブ移動ガイド２７ａ，２７ｂは長手方向の寸法が若干短縮され、ガイドボス２９ａ，２９Ａの代わりに支点ピン４０ａ，４０ｂが設けられる。また、短形開口２６ａ，２６ｂの代わりに扇形開口３９ａ，３９ｂが設けられ、長穴２８ｂ，２８Ｂの代わりに円弧状長穴４１ａ，４１ｂが設けられる。それによって、リブ移動ガイド２７ａ，２７ｂは支点ピン４０ａ，４０ｂを中心に回動できるようになっている。
【００４０】
このような変形例の動作について説明する。
まず、原稿がＡ４サイズで長手方向に排出される場合には、補助トレイ２４は引き出されることなく、図１０に示す状態で使用される。この時、リブ２５ａ，２５ｂは互いに平行状態にある。
【００４１】
次に、原稿がＢ４サイズで長手方向に排出される場合には、補助トレイ２４は原稿の長さに合わせて、円弧状凹部３７ａ，３７ｂが係止ボス３６ａ，３６ｂにそれぞれ係止する中間位置まで引き出されて使用される。この時、リブ２５ａ，２５ｂは原稿排出方向に末広がりになるよう補助トレイ２４の引出し長さに比例する角度だけそれぞれ回動し、その角度に対応してリブ間隔が拡大される。
【００４２】
次に、原稿がＡ３サイズで長手方向に排出される場合には、補助トレイ２４は原稿の長さに合わせて、円弧状凹部３８ａ，３８ｂが係止ボス３６ａ，３６ｂにそれぞれ係止する最長位置（図９）まで引き出されて使用される。この時、リブ２５ａ，２５ｂは原稿排出方向にさらに末広がりになるよう補助トレイ２４の引出し長さに比例する角度だけそれぞれ回動し、リブ間隔が図１１に示すように拡大される。
このように、上記の実施形態および変形例によれば、原稿サイズに応じてリブ間隔が調整されるので、排出される原稿は原稿排出トレイ上に良好にスタックされる。
【図面の簡単な説明】
【００４３】
【図１】この発明に係る画像形成装置の構成説明図である。
【図２】この発明に係る原稿処理装置の構成説明図である。
【図３】この発明に係る原稿排出トレイの正面図である。
【図４】この発明に係る原稿排出トレイの上面図である。
【図５】図４のＡ−Ａ矢視断面図である。
【図６】図４のＢ−Ｂ矢視断面図である。
【図７】図４のＣ−Ｃ矢視断面図である。
【図８】図４のＤ−Ｄ矢視断面図である。
【図９】図４に示す原稿排出トレイの動作説明図である。
【図１０】この発明の変形例を示す図４対応図である。
【図１１】図１０に示す変形例の動作説明図である。
【符号の説明】
【００４４】
１    露光ユニット
２    現像器
３    感光体ドラム
４    クリーナユニット
５    帯電器
６    中間転写ベルトユニット
７    定着ユニット
１０    転写ローラ
１１ａ，１１ｂ    ピックアップローラ
１２ａ〜１２ｄ    搬送ローラ
１３    レジストローラ
２１    筐体
２２    開口
２３    把手
２４    補助トレイ
２５ａ，２５ｂ    リブ
２６ａ，２６ｂ    短形開口
２７ａ，２７ｂ    リブ移動ガイド
２８ａ，２８ｂ    長穴
２８Ａ，２８Ｂ    長穴
２９ａ，２９ｂ    ガイドボス
２９Ａ，２９Ｂ    ガイドボス
３０    引張スプリング
３１    引張スプリング
３２    摺動台
３３    ガイドボス
３４    ガイドボス
３５    長穴
３６ａ  係止ボス
３６ｂ  係止ボス
３７ａ，３７ｂ    円弧状凹部
３８ａ，３８ｂ    円弧状凹部
３９ａ，３９ｂ    扇形開口
４０ａ，４０ｂ    支点ピン
４１ａ，４１ｂ    円弧状長穴
６１    中間転写ベルト
６２    中間転写ベルト駆動ローラ
６３    中間転写ベルト従動ローラ
６４    中間転写ローラ
６５    中間転写ベルトクリーニングユニット
８１    給紙カセット
８２    手差し給紙トレイ
９１    排紙トレイ
１００    画像形成装置
１０１    原稿トレイ
１０４ａ，１０４ｂ，１０４ｃ    搬送路
１０７    原稿読み取りガラス
１０９    光源
１１０    第１ミラー
１１１    レンズ
１１２    ＣＣＤ
１１３    第３ミラー
１１４    第２ミラー
１１５    ピックアップローラ
１１６    原稿載置検知センサ
１１７    原稿排出トレイ
１２０    原稿載置台
１２６    排出ローラ
１３０    ランプユニット
１４０    ミラーユニット
２００    装置本体
３００    自動原稿処理装置
３１０    自動原稿送り装置
３２０    原稿走査ユニット
Ｒ    原稿
Ｓ    用紙搬送路
【図１】
2010089894.tif 000003
【図２】
2010089894.tif 000004
【図３】
2010089894.tif 000005
【図４】
2010089894.tif 000006
【図５】
2010089894.tif 000007
【図６】
2010089894.tif 000008
【図７】
2010089894.tif 000009
【図８】
2010089894.tif 000010
【図９】
2010089894.tif 000011
【図１０】
2010089894.tif 000012
【図１１】
2010089894.tif 000013